(57)【特許請求の範囲】
【請求項１】
表皮１と、該表皮１の表面に縫製され表側に突出状に形成された表面壁部14を有すると共に射出成形された熱可塑性エラストマーから成る略浅皿状の突隆部材２と、一端が表側に縁巻部26と共に縫着された引掛ベルト32と、該引掛ベルト32の他端側から該引掛ベルト32を無段階に係止可能とするように裏側に配設されてピン部27にて固着される止め金具30と、を有し、
上記表皮１の表面と、上記突隆部材２の上記表面壁部14との間に、内部空間16が形成され、上記表面壁部14は、その裏面に、該内部空間16に突出し上記表皮１の表面に当接するリブ部17が、設けられ、
さらに、上記ピン部27は、上記表皮１にて表側が被覆されていることを特徴とするスロートガード。
【請求項２】
表皮３と、裏生地10と、該表皮３と該裏生地10との間にサンドウィッチ状に挟まれた板状発泡体11とを、周端縁部で、ミシン糸９にて一体状に縫製したスロートガードに於て、
上記表皮３は、射出成形された熱可塑性エラストマーから成ると共に複数段の階段状に成形された突隆部３ａを有し、該突隆部３ａの裏面と、上記板状発泡体11との間に、階段状の内部空間20が形成され、
さらに、一端が表側に縁巻部26と共に縫着された引掛ベルト32と、該引掛ベルト32の他端側から該引掛ベルト32を無段階に係止可能とするように裏側に配設されてピン部27にて固着される止め金具30と、を有し、
上記ピン部27は、上記表皮３にて表側が被覆されていることを特徴とするスロートガード。
【発明の詳細な説明】
【０００１】
【発明の属する技術分野】
本発明は、スロートガードに関する。
【０００２】
【従来の技術】
一般に、スロートガードは、マスクの下部に、係止ベルトにて、離脱自在に取り付けられ、ボール等から喉を保護している。
【０００３】
そして、従来のスロートガードは、パット部とカップ部とを有し、パット部は、（ＰＥ、ＰＵ等の）板状発泡体を、（合成皮革、人工皮革、ナイロン、ポリエステル等から成る）表生地及び裏生地とで、サンドウィッチ状に挟んで縫製することにより、製作され、カップ部は、硬質樹脂からなり、パット部の表生地に縫着されていた。
【０００４】
【発明が解決しようとする課題】
しかしながら、従来のスロートガードでは、カップ部が硬質樹脂から形成されているため、衝撃吸収性に劣り、ボール等の当接による衝撃を、直に、喉に伝え、喉に苦痛が生じていた。また、その衝撃により、カップ部に割れ等の破損が生じる虞れがあった。さらに、カップ部が、重量のある硬質樹脂を使用しているため、マスクを装着した際、スロートガードが不要にぶらぶらと揺れて、違和感があった。
【０００５】
そこで、本発明は、ボール等の当接による衝撃力がかかっても、喉に苦痛を生じさせることがなく、しかも、耐衝撃性が向上して破損の発生を防止するスロートガードを提供することを目的とする。
【０００６】
【課題を解決するための手段】
上述の目的を達成するために、本発明に係るスロートガードは、表皮と、該表皮の表面に縫製され表側に突出状に形成された表面壁部を有すると共に射出成形された熱可塑性エラストマーから成る略浅皿状の突隆部材と、一端が表側に縁巻部と共に縫着された引掛ベルトと、該引掛ベルトの他端側から該引掛ベルトを無段階に係止可能とするように裏側に配設されてピン部にて固着される止め金具と、を有し、上記表皮の表面と、上記突隆部材の上記表面壁部との間に、内部空間が形成され、上記表面壁部は、その裏面に、該内部空間に突出し上記表皮の表面に当接するリブ部が、設けられ、さらに、上記ピン部は、上記表皮にて表側が被覆されているものである。
【０００７】
また、表皮と、裏生地と、該表皮と該裏生地との間にサンドウィッチ状に挟まれた板状発泡体とを、周端縁部で、ミシン糸にて一体状に縫製したスロートガードに於て、上記表皮は、射出成形された熱可塑性エラストマーから成ると共に複数段の階段状に成形された突隆部を有し、該突隆部の裏面と、上記板状発泡体との間に、階段状の内部空間が形成され、さらに、一端が表側に縁巻部と共に縫着された引掛ベルトと、該引掛ベルトの他端側から該引掛ベルトを無段階に係止可能とするように裏側に配設されてピン部にて固着される止め金具と、を有し、上記ピン部は、上記表皮にて表側が被覆されているものである。
【発明の実施の形態】
以下、実施の形態を示す図面に基づき、本発明を詳説する。
【０００８】
図１と図３に、本発明に係るスロートガードの実施の一形態を示し、本スロートガードは、マスクＭの下部に、引掛ベルト32，32にて、離脱自在に取り付けられ、ボール等から喉を保護するものである。即ち、本スロートガードは、野球、ソフトボールなどのスポーツの、審判用、選手用に使用され、マスクＭを顔に装着することで、喉の前面側を被覆するようにしている。
【０００９】
図１，図３と、比較例の図２に示すように、本スロートガードは、表皮１と、表皮１の表面にミシン糸９にて縫製される突隆部材２と、裏生地10と、表皮１と裏生地10との間にサンドウィッチ状に挟まれた（ＰＥ、ＰＵ等の）板状発泡体11と、を有し、表皮１と発泡体11と裏生地10とが縁巻部26及びミシン糸９にて一体状に縫製されている。
【００１０】
突隆部材２は、射出成形された熱可塑性エラストマー（ＴＰＥ）から成り、ＴＰＥは、例えば、ポリウレタン系、ポリエステル系、ポリエチレン系、ポリスチレン系などである。このＴＰＥは、耐摩耗性及び引き裂き強度のある性質を備えている。
【００１１】
また、ＴＰＥは、例えば、ショアーＤ25〜55の軟質ＴＰＥであり、これは、従来のスロートガードのカップ部と比べて硬度の小さいものとなる。なお、従来のカップ部は、ショアーＤ65〜95の硬度を有する硬質樹脂（例えば、プラスチック等の合成樹脂）から形成されていた。
【００１２】
突隆部材２は、周壁部（側壁部）13と表面壁部14と鍔壁部15とを有した略浅皿状に形成され、表面壁部14が表側に突出するように表皮１に縫着されている。また、突隆部材２は、裏側に開口の内部空間16が形成されている。なお、表側とは、マスクＭの顔への装着状態において、喉と反対側をいう。
【００１３】
このように、本発明では、従来のカップ部に代えて、上述の突隆部材２を用いているため、衝撃吸収性が向上し、ボール等の当接による衝撃を吸収分散して、その衝撃を直接に喉に伝えず、喉の苦痛を防止することができる。しかも、その衝撃による突隆部材２の破損を防止することができる。さらに、突隆部材２は、ＴＰＥを使用しているため、軽量化を図ることができ、マスクＭを装着した際、本スロートガードが不要にぶらぶらと揺れることがなく違和感のないものとなる。
【００１４】
なお、表皮１は、合成皮革、人工皮革、ナイロン、ポリエステル等からなるが、表皮１を、上記突隆部材２と同質のＴＰＥにて射出成形するようにして、衝撃吸収性及び耐衝撃性を向上させるようにしてもよい。
【００１５】
また、図３に示すように、突隆部材２の内部空間16でかつ表面壁部14の裏面に、表皮１と当接する複数のリブ部17…を設けて、衝撃に強くなるようにする。即ち、図２に示す突隆部材２では、内部空間16の空気層により、突隆部材２のクッション性が柔らかくなるのに対して、図３に示す突隆部材２は、リブ部17…により、突隆部材２のクッション性が固くなる。
【００１６】
また、図示省略するが、突隆部材２の内部空間16に（ＰＥ、ＰＵ、ＥＶＡ等の）発泡ブロック体を介装してもよく、若しくは、突隆部材２の内部空間16に上記発泡ブロック体とリブ部17…とを組み合わせて介装するようにしてもよく、耐衝撃性の自由度（弾発力と強度の設計の自由度）が増加する。また、突隆部材２の表面壁部14の肉厚を、耐衝撃性を高めるために、増大させてもよい。
【００１７】
次に、図４に比較例を示し、表面に突隆部３ａを有する射出成形された熱可塑性エラストマーから成る表皮３を備えている。即ち、本スロートガードの表面は、全て、ＴＰＥにて成形され、衝撃吸収性及び耐衝撃性を一層向上させることができ、（傷や破れ等の）破損を防止して、耐久性に優れたものとなる。
【００１８】
次に、図５に示す他の実施の形態に於て、基本的には上述の図４と同様であるが、表皮３の突隆部３ａを、二段の階段状に成形し、突隆部３ａの裏側に形成される内部空間20の容積を大きくして、そのクッション性を一層柔らかなものとしている。もちろん、突隆部３ａを、３段以上の階段状としてもよく、射出成形により容易に製造することができる。また、図示省略するが、突隆部３ａの内部空間20に、リブ部や発泡ブロック体を介装してもよい。
【００１９】
なお、図示省略するが、突隆部材２又は表皮３の表面を、予め、弯曲面状、又は、凹凸模様面、若しくは、勾配面として、成形してもよく、また、突隆部材２又は表皮３の表面を、予め、革皺模様として、成形してもよく、また、表皮３の裏側を、予め、喉に対応した凹曲面状としてもよい。要するに、射出成形用金型に、上記形状・模様を形成しておくことで、突隆部材２又は表皮３に上記形状・模様を形成することができる。
【００２０】
次に、図６に示すように、本スロートガードは、引掛ベルト32と止め金具30とを有し、引掛ベルト32の一端は、表側に縁巻部26と共に縫着され、止め金具30が、引掛ベルト32の他端側から無段階に係止可能とするように裏側に配設されている。
【００２１】
即ち、引掛ベルト32の一端は、表皮１（３）と発泡体11と裏生地10と共に、縁巻部26にて挟まれ、さらに、引掛ベルト32が折り返されて、引掛ベルト32の一端にて、縁巻部26を挟んだ状態で、ミシン糸９にて、引掛ベルト32、縁巻部26、表皮１（３）、発泡体11、裏生地10を一体状に縫製しており、強固に縫着することができる。
【００２２】
止め金具30は、発泡体11及び裏生地10に、（カシメられた）ピン部27にて、固着されており、表皮１（３）は、そのピン部27を、表側から被覆するようにしている。
【００２３】
止め金具30は、図６と図７に示すように、ピン部27にて挿通状に固着される底壁34と、底壁34の左右端縁に連設される左右側壁35，35と、側壁35に貫設された孔部35ａに枢結される押し板36と、を備えている。
【００２４】
押し板36は、その一端側に、略楕円弯曲状に折り曲げられた押圧部38を有し、その押圧部38の左右側端縁には、突出子37，37が設けられ、その突出子37は、孔部35ａに遊嵌状に係止している。そして、押し板36は、突出子37，37廻りに揺動可能となる。このとき、押圧部38は、突出子37を軸としたカム面を備えているといえる。
【００２５】
そして、止め金具30にて引掛ベルト32を係止させるには、まず、押圧部38における突出子37（軸）から離間している部位（面）が、底壁34から離れるように、押し板36を揺動させる。
【００２６】
そして、図８（イ）に示すように、引掛ベルト32の一端を、押し板36と底壁34との間に挿入していく。このとき、引掛ベルト32は、押圧部38の突出子37側の部位（面）を持ち上げながら、差し込まれていく。その後、引掛ベルト32を所望寸法差し込んだ後に、図８（ロ）に示すように、押し板36を元の状態に揺動させる。このとき、孔部35ａに突出子37が圧接している押圧部38と、底壁34とにて、引掛ベルト32が挟持され、引掛ベルト32が止め金具30にて係止される。
【００２７】
このように、カム面を有する押圧部38を備えた止め金具30により、簡単な構造にて、容易に、引掛ベルト32を無段階に係止することができる。
【００２８】
なお、本発明は上述の実施の形態に限定されず、例えば、突隆部材２又は表皮３（突隆部３ａ）の形状、止め金具30の構造等は、本発明の要旨を逸脱しない範囲で設計変更可能である。
【００２９】
【発明の効果】
本発明は上述の如く構成されるので、次に記載する効果を奏する。
【００３０】
（請求項１によれば、）突隆部材２の衝撃吸収性（クッション性）により、ボール等の当接による衝撃力を分散させ、喉に苦痛を生じさせることがなく、確実に喉を保護することができる。さらに、突隆部材２の耐衝撃性により、（ファウルチップ等の）ボールの当接等による突隆部材２の破損を防止することができる。また、突隆部材２のＴＰＥにより、従来の硬質樹脂のカップ部と比べて、軽量化を図ることができ、マスクＭを装着した際に、違和感のないものとなる。また、突隆部材２の設計の自由度が高くなり、所望の表面形状・模様を容易に形成できる。しかも、表皮１と突隆部材２とが別部材であるため、表皮１と突隆部材２とを、異なる色彩（カラー）に着色し、斬新でかつ多種類のスロートガードを容易に提供可能となる。しかも、全体の強度も高く、耐久性も低下しない。
また、マスクＭの形状にともない、引掛ベルト32の長さを自由に調整でき、臨機応変なものとなる。特に、微妙な調整ができて、使用者に最も適した長さとすることができる。 また、ボール等の当接によるピン部27の破損を防止することができ、さらに、見栄えのよいものとなる。
【００３１】
（請求項２によれば、）突隆部３ａの衝撃吸収性（クッション性）により、ボール等の当接による衝撃力を分散させ、喉に苦痛を生じさせることがなく、確実に喉を保護することができる。さらに、表皮３の耐衝撃性により、（ファウルチップ等の）ボールの当接等による表皮３の破損を防止することができる。また、表皮３のＴＰＥにより、従来の硬質樹脂のカップ部と比べて、軽量化を図ることができ、マスクＭを装着した際に、違和感のないものとなる。また、表皮３の設計の自由度が高くなり、所望の表面形状・模様を容易に形成できる。しかも、突隆部３ａは、表皮３と一体に射出成形によって形成することができるため、製造が容易で、かつ、成形時間も短縮できる。また、部品数、製造工程の減少により、コストダウンを図ることができ、スロートガードの組立作業も容易となる。
また、マスクＭの形状にともない、引掛ベルト32の長さを自由に調整でき、臨機応変なものとなる。特に、微妙な調整ができて、使用者に最も適した長さとすることができる。 また、ボール等の当接によるピン部27の破損を防止することができ、さらに、見栄えのよいものとなる。
【図面の簡単な説明】
【図１】  本発明の実施の一形態を示す正面図である。
【図２】  比較例を示す側面断面図である。
【図３】  図１のＡ−Ａ断面図である。
【図４】  本発明の他の比較例を示す側面断面図である。
【図５】  本発明の他の実施の形態を示す側面断面図である。
【図６】  要部拡大側面断面図である。
【図７】  止め金具を示す側面図である。
【図８】  要部作用説明図である。
【符号の説明】
１  表皮
２  突隆部材
３  表皮
３ａ  突隆部
９  ミシン糸
10  裏生地
11  発泡体
14  表面壁部
16  内部空間
17  リブ部
20  内部空間
26  縁巻部
27  ピン部
30  止め金具
32  引掛ベルト
【図１】
0003681702.tif 000002
【図２】
0003681702.tif 000003
【図３】
0003681702.tif 000004
【図４】
0003681702.tif 000005
【図５】
0003681702.tif 000006
【図６】
0003681702.tif 000007
【図７】
0003681702.tif 000008
【図８】
0003681702.tif 000009